(57)【要約】【課題】ＭＢＭＳ通信が行われる場合に、無線リソースを効率的に使用する。【解決手段】本発明に係る移動通信方法は、無線基地局ｅＮＢが、ＳＩＢ２によって、ＭＢＳＦＮサブフレームの構成を通知する工程と、移動局ＵＥが、ＭＢＳＦＮサブフレーム内の所定のＯＦＤＭシンボルにおいて、ＭＢＳＦＮ_Ｏｆｆ-ＲＮＴＩを用いて生成されているＰＤＣＣＨ信号を受信し、かつ、移動局ＵＥのＣ-ＲＮＴＩを用いて生成されているＰＤＣＣＨ信号を受信した場合、移動局ＵＥのＣ-ＲＮＴＩを用いて生成されているＰＤＣＣＨ信号に基づいて、ＭＢＳＦＮサブフレーム内でユニキャスト通信によって送信されるＰＤＳＣＨ信号を受信する工程とを有する。【選択図】図６
2011082604.tif 000002
【特許請求の範囲】
【請求項１】
無線基地局が、報知情報によって、単一周波数で複数のセルから特定の移動局に対して同一の下りリンクデータ信号を送信するブロードキャスト・マルチキャスト通信が行われる所定サブフレームを通知する工程と、
移動局が、前記所定サブフレーム内の所定シンボルにおいて、特定識別子を用いて生成されている下りリンク制御信号を受信し、かつ、該移動局の識別子を用いて生成されている下りリンク制御信号を受信した場合、該移動局の識別子を用いて生成されている該下りリンク制御信号に基づいて、該所定サブフレーム内でユニキャスト通信によって送信される下りリンクデータ信号を受信する工程とを有することを特徴とする移動通信方法。
【請求項２】
前記下りリンク制御信号は、前記ユニキャスト通信が行われるサブフレームで下りリンク制御信号が送信されるシンボルと同一のシンボル内で送信されることを特徴とする請求項１に記載の移動通信方法。
【請求項３】
報知情報によって、単一周波数で複数のセルから特定の移動局に対して同一の下りリンクデータ信号を送信するブロードキャスト・マルチキャスト通信が行われる所定サブフレームを通知するように構成されている報知情報送信部と、
下りリンクデータ信号を送信するように構成されている下りリンクデータ信号送信部と、
下りリンク制御信号を送信するように構成されている下りリンク制御信号送信部とを具備し、
前記下りリンクデータ信号送信部が、前記所定サブフレーム内でユニキャスト通信によって下りリンクデータ信号を送信する場合、前記下りリンク制御信号送信部は、該所定サブフレーム内の所定シンボルにおいて、特定識別子を用いて生成した下りリンク制御信号及び該移動局の識別子を用いて生成した下りリンク制御信号を送信するように構成されていることを特徴とする無線基地局。
【請求項４】
前記下りリンク制御信号送信部は、ユニキャスト通信が行われるサブフレームで下りリンク制御信号が送信されるシンボルと同一のシンボル内で、前記特定識別子を用いて生成した下りリンク制御信号を送信するように構成されていることを特徴とする請求項３に記載の無線基地局。
【請求項５】
報知情報を介して、単一周波数で複数のセルから特定の移動局に対して同一の下りリンクデータ信号を送信するブロードキャスト・マルチキャスト通信が行われる所定サブフレームを示す情報を受信するように構成されている報知情報受信部と、
下りリンクデータ信号を受信するように構成されている下りリンクデータ信号受信部と、
下りリンク制御信号を受信するように構成されている下りリンク制御信号受信部とを具備し、
前記下りリンク制御信号受信部が、前記所定サブフレーム内の所定シンボルにおいて、特定識別子を用いて生成されている下りリンク制御信号を受信し、かつ、該移動局の識別子を用いて生成されている下りリンク制御信号を受信した場合、前記下りリンクデータ信号受信部は、該移動局の識別子を用いて生成されている該下りリンク制御信号に基づいて、該所定サブフレーム内でユニキャスト通信によって送信される下りリンクデータ信号を受信するように構成されていることを特徴とする移動局。
【請求項６】
前記下りリンク制御信号受信部は、前記ユニキャスト通信が行われるサブフレームで下りリンク制御信号が送信されるシンボルと同一のシンボル内で、特定識別子を用いて生成されている下りリンク制御信号を受信するように構成されていることを特徴とする請求項５に記載の移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）方式の移動通信システムでは、単一周波数で複数のセルから特定の移動局ＵＥに対して同一の下りリンクデータ信号を送信するブロードキャスト・マルチキャスト通信である「ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）通信」を行うことが可能である。
【０００３】
ここで、ＭＢＭＳ通信で用いられるＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームでは、ユニキャスト通信で用いられるサブフレームと異なるフォーマットが用いられるため、無線基地局ｅＮＢは、ＭＢＭＳ通信に対応していない移動局ＵＥのために、報知情報であるＳＩＢ２（Ｓｙｓｔｅｍ  Ｉｎｆｏｒｍａｔｉｏｎ  Ｂｌｏｃｋ  Ｔｙｐｅ２）によって、ＭＢＳＦＮサブフレームの構成（ＭＢＳＦＮ  ｓｕｂｆｒａｍｅ  ｃｏｎｆｉｇｕｒａｔｉｏｎ）を事前に通知しておくように構成されている。
【先行技術文献】
【非特許文献】
【０００４】
【非特許文献１】３ＧＰＰ  ＴＳ３６.２１１
【非特許文献２】３ＧＰＰ  ＴＳ３６.３２１
【発明の概要】
【発明が解決しようとする課題】
【０００５】
しかしながら、上述の移動通信システムでは、ＭＢＳＦＮサブフレームの構成（ＭＢＳＦＮ  ｓｕｂｆｒａｍｅ  ｃｏｎｆｉｇｕｒａｔｉｏｎ）は、報知情報であるＳＩＢ２によって通知されるため、頻繁に更新されるものではない。
【０００６】
一方、ＭＣＨ（ＭＢＭＳ  Ｃｈａｎｎａｌ）を介して送信される下りリンクデータ信号の発生頻度は可変であるため、かかる下りリンクデータ信号の送信に用いられていないＭＢＳＦＮサブフレームによって、無線リソースの使用効率が低下してしまうという問題点があった。
【０００７】
そこで、本発明は、上述の課題に鑑みてなされたものであり、ＭＢＭＳ通信が行われる場合に、無線リソースを効率的に使用することができる移動通信方法、無線基地局及び移動局を提供することを目的とする。
【課題を解決するための手段】
【０００８】
本発明の第１の特徴は、移動通信方法であって、無線基地局が、報知情報によって、単一周波数で複数のセルから特定の移動局に対して同一の下りリンクデータ信号を送信するブロードキャスト・マルチキャスト通信が行われる所定サブフレームの構成を通知する工程と、移動局が、前記所定サブフレーム内の所定シンボルにおいて、特定識別子を用いて生成されている下りリンク制御信号を受信し、かつ、該移動局の識別子を用いて生成されている下りリンク制御信号を受信した場合、該移動局ＵＥの識別子を用いて生成されている該下りリンク制御信号に基づいて、該所定サブフレーム内でユニキャスト通信によって送信される下りリンクデータ信号を受信する工程とを有することを要旨とする。
【０００９】
本発明の第２の特徴は、無線基地局であって、報知情報によって、単一周波数で複数のセルから特定の移動局に対して同一の下りリンクデータ信号を送信するマルチキャスト通信が行われる所定サブフレームの構成を通知するように構成されている報知情報送信部と、下りリンクデータ信号を送信するように構成されている下りリンクデータ信号送信部と、下りリンク制御信号を送信するように構成されている下りリンク制御信号送信部とを具備し、前記下りリンクデータ信号送信部が、前記所定サブフレーム内でユニキャスト通信によって下りリンクデータ信号を送信する場合、前記下りリンク制御信号送信部は、該所定サブフレーム内の所定シンボルにおいて、特定識別子を用いて生成した下りリンク制御信号及び該移動局の識別子を用いて生成した下りリンク制御信号を送信するように構成されていることを要旨とする。
【００１０】
本発明の第３の特徴は、移動局であって、報知情報を介して、単一周波数で複数のセルから特定の移動局に対して同一の下りリンクデータ信号を送信するブロードキャスト・マルチキャスト通信が行われる所定サブフレームの構成を受信するように構成されている報知情報受信部と、下りリンクデータ信号を受信するように構成されている下りリンクデータ信号受信部と、下りリンク制御信号を受信するように構成されている下りリンク制御信号受信部とを具備し、前記下りリンク制御信号受信部が、前記所定サブフレーム内の所定シンボルにおいて、特定識別子を用いて生成されている下りリンク制御信号を受信し、かつ、該移動局の識別子を用いて生成されている下りリンク制御信号を受信した場合、前記下りリンクデータ信号受信部は、該移動局の識別子を用いて生成されている該下りリンク制御信号に基づいて、該所定サブフレーム内でユニキャスト通信によって送信される下りリンクデータ信号を受信するように構成されていることを要旨とする。
【発明の効果】
【００１１】
以上説明したように、本発明によれば、ＭＢＭＳ通信が行われる場合に、無線リソースを効率的に使用することができる移動通信方法、無線基地局及び移動局を提供することができる。
【図面の簡単な説明】
【００１２】
【図１】本発明の第１の実施形態に係る移動通信システムの全体構成図である。
【図２】本発明の第１の実施形態に係る移動通信システムで送信されるＭＢＳＦＮ参照信号について説明するための図である。
【図３】本発明の第１の実施形態に係る移動通信システムにおけるＭＢＳＦＮサブフレーム内のＰＤＣＣＨのマッピングについて説明するための図である。
【図４】本発明の第１の実施形態に係る無線基地局の機能ブロック図である。
【図５】本発明の第１の実施形態に係る移動局の機能ブロック図である。
【図６】本発明の第１の実施形態に係る移動局の動作を示すフローチャートである。
【発明を実施するための形態】
【００１３】
（本発明の第１の実施形態に係る移動通信システムの構成）
図１乃至図５を参照して、本発明の第１の実施形態に係る移動通信システムの構成について説明する。
【００１４】
本実施形態に係る移動通信システムは、ＬＴＥ方式の移動通信システムであって、図１に示すように、単一周波数で複数のセル＃１乃至＃７から特定の移動局ＵＥに対して同一の下りリンクデータ信号を送信するブロードキャスト・マルチキャスト通信であるＭＢＭＳ通信を行うことができるように構成されている。
【００１５】
ここで、本実施形態に係る移動通信システムでは、各無線基地局ｅＮＢ＃１乃至＃７は、ＭＢＳＦＮサブフレームにおいて、ＭＢＳＦＮ参照信号（ＭＢＳＦＮ  ｒｅｆｅｒｅｎｃｅ  ｓｉｇｎａｌ）を送信するように構成されている。
【００１６】
例えば、ＭＢＳＦＮ参照信号Ｒ４は、図２に示すようにＭＢＳＦＮサブフレームにマッピングされて送信されるように構成されていてもよい。
【００１７】
また、ＭＢＳＦＮサブフレームでは、通常のサブフレーム（Ｎｏｒｍａｌ  ｓｕｂｆｒａｍｅ）のフォーマットと異なるフォーマットが用いられるように構成されている（上述の非特許文献１の６.１０.２参照）。
【００１８】
さらに、ＭＢＳＦＮサブフレーム内では、ＰＤＣＣＨ（Ｐｈｙｓｉｃａｌ  Ｄｏｗｎｌｉｎｋ  Ｃｏｎｔｒｏｌ  Ｃｈａｎｎｅｌ）信号（下りリンク制御信号）は、図３に示すように、１又は２番目までのＯＦＤＭシンボルによって送信されるように構成されている（上述の非特許文献２の６.７参照）。
【００１９】
図４に示すように、本実施形態に係る移動通信システムで用いられる無線基地局ｅＮＢ＃１乃至＃７（以下、代表して、無線基地局ｅＮＢと表記する）は、報知情報送信部１１と、ＰＤＣＣＨ送信部１２と、ＰＤＳＣＨ送信部１３と、ＰＭＣＨ送信部１４とを具備している。
【００２０】
報知情報送信部１１は、配下のセルにおいて、報知情報を送信するように構成されている。
【００２１】
例えば、報知情報送信部１１は、ＳＩＢ２によって、ＭＢＳＦＮサブフレームの構成（ＭＢＳＦＮ  ｓｕｂｆｒａｍｅ  ｃｏｎｆｉｇｕｒａｔｉｏｎ）を通知するように構成されている
ＰＤＣＣＨ送信部１２は、配下のセル内の移動局ＵＥに対して、ＰＤＣＣＨ信号を送信するように構成されている。ここで、ＰＤＣＣＨ信号には、スケジューリング信号等が含まれる。
【００２２】
例えば、ＰＤＣＣＨ送信部１２は、配下のセル内の移動局ＵＥに対して割り当てられているＣ-ＲＮＴＩ（Ｃｅｌｌ-Ｒａｄｉｏ  Ｎｅｔｗｏｒｋ  Ｔｅｍｐｏｒａｒｙ  Ｉｄｅｎｔｉｔｙ）を用いてマスキングすることによって、ユニキャスト通信用のＰＤＣＣＨ信号を生成して、かかる移動局ＵＥに対して、かかるユニキャスト通信用のＰＤＣＣＨ信号を送信するように構成されている。
【００２３】
ＰＤＳＣＨ送信部１３は、配下のセル内の移動局ＵＥに対して、ＰＤＳＣＨ（Ｐｈｙｓｉｃａｌ  Ｄｏｗｎｌｉｎｋ  Ｓｈａｒｅｄ  Ｃｈａｎｎｅｌ）信号（下りリンクデータ信号）を送信するように構成されている。
【００２４】
例えば、ＰＤＳＣＨ送信部１３は、ＰＤＣＣＨ送信部１２によって送信されたＰＤＣＣＨ信号で指定されているリソースで、配下のセル内の移動局ＵＥに対して、ＰＤＳＣＨ信号を送信するように構成されている。
【００２５】
なお、ＰＤＳＣＨ送信部１３が、ＭＢＳＦＮサブフレーム内でユニキャスト通信によってＰＤＳＣＨ信号を送信する場合、ＰＤＣＣＨ送信部１２は、かかるＭＢＳＦＮサブフレーム内の所定のＯＦＤＭシンボルにおいて、ＭＢＳＦＮ_Ｏｆｆ-ＲＮＴＩを用いて生成したＰＤＣＣＨ信号、すなわち、ＭＢＳＦＮ_Ｏｆｆ-ＲＮＴＩでマスキングされたＰＤＣＣＨ信号を送信するように構成されている。
【００２６】
ここで、ＭＢＳＦＮ_Ｏｆｆ-ＲＮＴＩは、ＭＢＳＦＮサブフレーム内でユニキャスト通信によってＰＤＳＣＨ信号が送信されていることを通知するための専用のＲＮＴＩである。
【００２７】
例えば、ＭＢＳＦＮ_Ｏｆｆ-ＲＮＴＩとして、上述の非特許文献２でリザーブされている「ＦＦＦ４」乃至「ＦＦＦＤ」等が用いられてもよい。
【００２８】
なお、ＰＤＳＣＨ送信部１３が、ＭＢＳＦＮサブフレーム内でユニキャスト通信によってＰＤＳＣＨ信号を送信しない場合に、ＰＤＣＣＨ送信部１２は、かかるＭＢＳＦＮサブフレーム内の所定のＯＦＤＭシンボルにおいて、ＭＢＳＦＮ_Ｏｎ-ＲＮＴＩを用いて生成したＰＤＣＣＨ信号を送信するように構成されていてもよい。
【００２９】
ここで、ＰＤＣＣＨ送信部１２は、ユニキャスト通信が行われるサブフレーム（Ｎｏｒｍａｌ  ｓｕｂｆｒａｍｅ）でＰＤＣＣＨ信号が送信されるＯＦＤＭシンボルと同一のＯＦＤＭシンボル（例えば、２ＯＦＤＭシンボル）内で、ＭＢＳＦＮ_Ｏｆｆ-ＲＮＴＩを用いて生成したＰＤＣＣＨ信号を送信するように構成されていてもよい。
【００３０】
また、ＰＤＣＣＨ送信部１２は、ＭＢＳＦＮ_Ｏｆｆ-ＲＮＴＩを用いて生成したＰＤＣＣＨ信号のＤＣＩフォーマットとしては、Ｐ-ＲＮＴＩやＳＩ-ＲＮＴＩを用いて生成したＰＤＣＣＨ信号と同様に、ＤＣＩフォーマット１Ａや１Ｃを用いてもよい。
【００３１】
ここで、ＰＤＣＣＨ送信部１２は、ＤＣＩフォーマット１Ａや１Ｃで送信するビット列を、ＤＣＩフォーマット１Ａや１Ｃの通常の定義を無視して、全て「０」又は「１」のビット列に変換してもよい。
【００３２】
このように構成することで、移動局ＵＥは、ＭＢＳＦＮ_Ｏｆｆ-ＲＮＴＩでマスキングされたＰＤＣＣＨ信号を検出した場合であっても、その情報要素が全て「０」又は「１」でない場合には、ＰＲＳの送信タイミングと判断することができる。
【００３３】
ＰＭＣＨ送信部１４は、ＭＢＳＦＮサブフレーム内で、ＭＢＭＳ通信によって下りリンクデータ信号（ＰＭＣＨ信号）を送信するように構成されている。
【００３４】
図５に示すように、本実施形態に係る移動通信システムで用いられる移動局ＵＥは、報知情報受信部２１と、ＰＤＣＣＨ受信部２２と、ＰＤＳＣＨ受信部２３と、ＰＭＣＨ受信部２４とを具備している。
【００３５】
報知情報受信部２１は、無線基地局ｅＮＢによって送信されている報知情報を受信するように構成されている。
【００３６】
例えば、報知情報受信部２１は、ＳＩＢ２を介して、ＭＢＳＦＮサブフレームの構成（ＭＢＳＦＮ  ｓｕｂｆｒａｍｅ  ｃｏｎｆｉｇｕｒａｔｉｏｎ）を受信するように構成されている。
【００３７】
ＰＤＣＣＨ受信部２２は、無線基地局ｅＮＢによって送信されているＰＤＣＣＨ信号を受信するように構成されている。
【００３８】
ＰＤＳＣＨ受信部２３は、無線基地局ｅＮＢによって送信されているＰＤＳＣＨ信号を受信するように構成されている。
【００３９】
ここで、ＰＤＣＣＨ受信部２２が、ＭＢＳＦＮサブフレーム内の所定のＯＦＤＭシンボル（例えば、２ＯＦＤＭシンボル）において、ＭＢＳＦＮ_Ｏｆｆ-ＲＮＴＩを用いて生成されているＰＤＣＣＨ信号を受信し、かつ、かかる移動局ＵＥのＣ-ＲＮＴＩ（識別子）を用いて生成されているＰＤＣＣＨ信号を受信した場合、ＰＤＳＣＨ受信部２３は、かかる移動局ＵＥのＣ-ＲＮＴＩを用いて生成されたＰＤＣＣＨ信号に基づいて、かかるＭＢＳＦＮサブフレーム内でユニキャスト通信によって送信されるＰＤＳＣＨ信号を受信するように構成されている。
【００４０】
すなわち、ＰＤＣＣＨ受信部２２が、ＭＢＳＦＮサブフレーム内の所定のＯＦＤＭシンボル（例えば、２ＯＦＤＭシンボル）において、ＭＢＳＦＮ_Ｏｆｆ-ＲＮＴＩによってマスキングされているＰＤＣＣＨ信号を受信し、かつ、かかる移動局ＵＥのＣ-ＲＮＴＩによってマスキングされているＰＤＣＣＨ信号（かかる移動局ＵＥ宛てのＰＤＣＣＨ信号）を復号した場合、ＰＤＳＣＨ受信部２３は、かかるＭＢＳＦＮサブフレーム内でユニキャスト通信によって移動局ＵＥ宛てのＰＤＳＣＨ信号が送信されていると判断し、移動局ＵＥのＣ-ＲＮＴＩによってマスキングされているＰＤＣＣＨ信号に基づいて、かかる移動局ＵＥ宛てのＰＤＳＣＨ信号を受信するように構成されている。
【００４１】
ＰＭＣＨ受信部２４は、ＭＢＳＦＮサブフレーム内で、ＭＢＭＳ通信によって複数のセル＃１乃至＃７から送信された下りリンクデータ信号を受信するように構成されている。
【００４２】
（本発明の第１の実施形態に係る移動通信システムの動作）
図６を参照して、本発明の第１の実施形態に係る移動通信システムの動作について、具体的には、本発明の第１の実施形態に係る移動局ＵＥの動作について説明する。
【００４３】
図６に示すように、ステップＳ１０１において、移動局ＵＥは、ＭＢＳＦＮサブフレーム内の所定のＯＦＤＭシンボルにおいて、ＭＢＳＦＮ_Ｏｆｆ-ＲＮＴＩによってマスキングされているＰＤＣＣＨ信号を受信したか否かについて判定する。
【００４４】
ＭＢＳＦＮ_Ｏｆｆ-ＲＮＴＩによってマスキングされているＰＤＣＣＨ信号を受信したと判定された場合、ステップＳ１０２において、移動局ＵＥは、ＭＢＳＦＮサブフレーム内の所定のＯＦＤＭシンボルにおいて、かかる移動局ＵＥのＣ-ＲＮＴＩによってマスキングされているＰＤＣＣＨ信号を受信したか否かについて判定する。
【００４５】
かかるＰＤＣＣＨ信号を受信したと判断された場合、ステップＳ１０３において、移動局ＵＥは、かかるＰＤＣＣＨ信号によって指定されているＭＢＳＦＮサブフレーム内のリソースにおいて、移動局ＵＥ宛てのＰＤＳＣＨ信号を受信する。
【００４６】
一方、ＭＢＳＦＮ_Ｏｆｆ-ＲＮＴＩによってマスキングされているＰＤＣＣＨ信号を受信しなかったと判定された場合、移動局ＵＥは、ＭＢＭＳ信号を受信する移動局ＵＥであれば、ステップＳ１０４において、ＭＢＳＦＮサブフレーム内で、ＭＢＭＳ通信によって送信されている下りリンクデータ信号を受信する。
【００４７】
ここで、移動局ＵＥは、ＭＢＭＳ信号を受信しない移動局ＵＥであれば、ステップＳ１０４の処理を行わず、終了する。
【００４８】
（本発明の第１の実施形態に係る移動通信システムの作用・効果）
本発明の第１の実施形態に係る移動通信システムによれば、ＭＢＳＦＮサブフレーム内で、ユニキャスト通信による下りリンクデータ信号を送信することができるため、ＭＢＭＳ通信による下りリンクデータ信号を送信する必要がない場合に、無線リソースを有効に活用することができる。
【００４９】
以上に述べた本実施形態の特徴は、以下のように表現されていてもよい。
【００５０】
本実施形態の第１の特徴は、移動通信方法であって、無線基地局ｅＮＢが、ＳＩＢ２（報知情報）によって、ＭＢＳＦＮサブフレーム（単一周波数で複数のセルから特定の移動局に対して同一の下りリンクデータ信号を送信するブロードキャスト・マルチキャスト通信が行われる所定サブフレーム）の構成（ＭＢＳＦＮ  ｓｕｂｆｒａｍｅ  ｃｏｎｆｉｇｕｒａｔｉｏｎ）を通知する工程と、移動局ＵＥが、ＭＢＳＦＮサブフレーム内の所定のＯＦＤＭシンボル（例えば、２ＯＦＤＭシンボル）において、ＭＢＳＦＮ_Ｏｆｆ-ＲＮＴＩ（特定識別子）を用いて生成されているＰＤＣＣＨ信号（下りリンク制御信号）を受信し、かつ、移動局ＵＥのＣ-ＲＮＴＩを用いて生成されているＰＤＣＣＨ信号（下りリンク制御信号）を受信した場合、移動局ＵＥのＣ-ＲＮＴＩを用いて生成されているＰＤＣＣＨ信号に基づいて、ＭＢＳＦＮサブフレーム内でユニキャスト通信によって送信されるＰＤＳＣＨ信号（下りリンクデータ信号）を受信する工程とを有することを要旨とする。
【００５１】
本実施形態の第１の特徴において、ＭＢＳＦＮ_Ｏｆｆ-ＲＮＴＩを用いて生成されているＰＤＣＣＨ信号は、ユニキャスト通信が行われるサブフレームでＰＤＣＣＨ信号が送信されるＯＦＤＭシンボルと同一のＯＦＤＭシンボル内で送信されてもよい。
【００５２】
本実施形態の第２の特徴は、無線基地局ｅＮＢであって、ＳＩＢ２によって、ＭＢＳＦＮサブフレームの構成を通知するように構成されている報知情報送信部１１と、  ＰＤＳＣＨ信号を送信するように構成されているＰＤＳＣＨ送信部１３と、ＰＤＣＣＨ信号を送信するように構成されているＰＤＣＣＨ送信部１２とを具備し、ＰＤＳＣＨ送信部１３が、ＭＢＳＦＮサブフレーム内でユニキャスト通信によってＰＤＳＣＨ信号を送信する場合、ＰＤＣＣＨ送信部１２は、かかるＭＢＳＦＮサブフレーム内の所定のＯＦＤＭシンボルにおいて、ＭＢＳＦＮ_Ｏｆｆ-ＲＮＴＩを用いて生成したＰＤＣＣＨ信号及び移動局ＵＥのＣ-ＲＮＴＩを用いて生成したＰＤＣＣＨ信号を送信するように構成されていることを要旨とする。
【００５３】
本実施形態の第２の特徴において、ＰＤＣＣＨ送信部１２は、ユニキャスト通信が行われるサブフレームでＰＤＣＣＨ信号が送信されるＯＦＤＭシンボルと同一のＯＦＤＭシンボル内で、ＭＢＳＦＮ_Ｏｆｆ-ＲＮＴＩを用いて生成したＰＤＣＣＨ信号を送信するように構成されていてもよい。
【００５４】
本実施形態の第３の特徴は、ＳＩＢ２を介して、ＭＢＳＦＮサブフレームの構成を受信するように構成されている報知情報受信部２１と、ＰＤＳＣＨ信号を受信するように構成されているＰＤＳＣＨ受信部２３と、ＰＤＣＣＨ信号を受信するように構成されているＰＤＣＣＨ受信部２２とを具備し、ＰＤＣＣＨ受信部２２が、ＭＢＳＦＮサブフレーム内の所定のＯＦＤＭシンボルにおいて、ＭＢＳＦＮ_Ｏｆｆ-ＲＮＴＩを用いて生成されているＰＤＣＣＨ信号を受信し、かつ、移動局ＵＥのＣ-ＲＮＴＩを用いて生成されているＰＤＣＣＨ信号を受信した場合、ＰＤＳＣＨ受信部２３は、かかる移動局ＵＥのＣ-ＲＮＴＩを用いて生成されているＰＤＣＣＨ信号に基づいて、かかるＭＢＳＦＮサブフレーム内でユニキャスト通信によって送信されるＰＤＳＣＨ信号を受信するように構成されていることを要旨とする。
【００５５】
本実施形態の第３の特徴において、ＰＤＣＣＨ受信部２２は、ユニキャスト通信が行われるサブフレームでＰＤＣＣＨ信号が送信されるＯＦＤＭシンボルと同一のＯＦＤＭシンボル内で、ＭＢＳＦＮ_Ｏｆｆ-ＲＮＴＩを用いて生成されているＰＤＣＣＨ信号を受信するように構成されていてもよい。
【００５６】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００５７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ及び移動局ＵＥ内に設けられていてもよい。また、かかる記憶媒体及びプロセッサは、ディスクリートコンポーネントとして無線基地局ｅＮＢ及び移動局ＵＥ内に設けられていてもよい。
【００５９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００６０】
ｅＮＢ…無線基地局
１１…報知情報送信部
１２…ＰＤＣＣＨ送信部
１３…ＰＤＳＣＨ送信部
１４…ＰＭＣＨ送信部
ＵＥ…移動局
２１…報知情報受信部
２２…ＰＤＣＣＨ受信部
２３…ＰＤＳＣＨ受信部
２４…ＰＭＣＨ受信部
【図１】
2011082604.tif 000003
【図２】
2011082604.tif 000004
【図３】
2011082604.tif 000005
【図４】
2011082604.tif 000006
【図５】
2011082604.tif 000007
【図６】
2011082604.tif 000008